(57)【特許請求の範囲】
【請求項１】
廃液槽の底部に溜まった切り粉をチェーンコンベアに取り付けられた切り粉移送器によって掻き出すことにより、切り粉が混ざった洗浄液から切り粉と洗浄液を分離して前記切り粉を移送する移送装置において、
前記切り粉移送器は、所定の間隔で前記チェーンコンベアに取り付けられ、前記切り粉移送器の長さは前記所定の間隔よりも短く、隣接する切り粉移送器との間には隙間が空いており、
かつ、前記切り粉移送器は、前記チェーンコンベアの２本のチェーンに渡るようにチェーンの移動方向と平行に装着され、前記チェーンコンベアの２本のチェーンの駒の間隔とほぼ同じ幅を備えた複数の押さえ板と、後端の前記押さえ板に移動方向とほぼ直角に固着され、前記廃液槽の底面と一定の距離を保って底面と平行に移動することにより、前記切り粉を押して移動させる掻き板を備えた
ことを特徴とする移送装置。
【請求項２】
前記押さえ板は、前記チェーンコンベアの２本のチェーンに渡る軸に回動可能に嵌合され、隣接する押さえ板と蝶つがい状に連結していることを特徴とする請求項１に記載の移送装置。
【請求項３】
前記押さえ板は、それぞれが前記チェーンコンベアの２本のチェーンの各駒に固着されており、隣接する押さえ板とは連結していないことを特徴とする請求項１に記載の移送装置。
【発明の詳細な説明】
【技術分野】
【０００１】
本発明は、移送装置に関するものであり、特に、工作機械等から排出される洗浄液と切り粉とを分離し、切り粉を排出する移送装置に関するものである。
【背景技術】
【０００２】
近年、旋盤等の工作機械から排出される洗浄液と切り粉とを分離し、洗浄液を濾過する濾過装置として各種の濾過装置が提案されている。下記の特許文献１には、本願の出願人が先に出願した濾過装置が記載されている。
【０００３】
図４は、特許文献１に記載されている従来の移送装置を含む濾過装置の構成を示す正面図、平面図である。廃液槽２０の開口部２１と反対側の端部は斜め上方に延長されており、上端部にはチェーンコンベア２６の軸を駆動するモーター２４が装着されている。チェーンコンベア２６は廃液槽２０の長手方向の側面に沿って、開口部２１の下部に設けられたチェーン折り返しのための円板２９と上端部のモーター２４によって駆動される歯車２３との間に装着され、２本のチェーンの間には所定の間隔で、切り粉排出口２５から切り粉収納箱に切り粉を掻き出すための、断面がＬ字状の金属板２７が装着されている。
【先行技術文献】
【特許文献】
【０００４】
【特許文献１】特開２０１０−１３７３５３号公報
【発明の概要】
【発明が解決しようとする課題】
【０００５】
上記した従来の濾過装置の切り粉の移送装置においては、切り粉を断面がＬ字状の金属板で掻き出していたが、特に切り粉が大量に投入された場合に、長い切り粉が金属板に絡まり、そのまま運転を続けると切り粉が後から投入された切り粉と絡みついて増大し、ドラムフィルターの回転がロックしたり、ドラムフィルターが破損する恐れがあった。従って、濾過装置を停止して絡まった切り粉を手で取り除く作業が必要になり、手間がかかると共に装置の稼働率が低下するという問題点があった。
【０００６】
本発明は上記したような従来の課題を解決し、大量の切り粉が投入されても切り粉が絡まない移送装置を提供することを目的とする。
【課題を解決するための手段】
【０００７】
本発明の移送装置は、切り粉が混ざった洗浄液から切り粉と洗浄液を分離して前記切り粉を移送する移送装置において、チェーンコンベアの２本のチェーンに渡るようにチェーンの移動方向と平行に装着された複数の押さえ板と、後端の前記押さえ板に固着され、前記切り粉を押して移動させる掻き板を備えた切り粉移送器を設けたことを主要な特徴とする。
【０００８】
また、前記した移送装置において、前記押さえ板は前記チェーンコンベアの２本のチェーンの駒の間隔とほぼ同じ幅を備え、前記チェーンコンベアの２本のチェーンに渡る軸に回動可能に嵌合され、隣接する押さえ板と蝶つがい状に連結している点にも特徴がある。
【０００９】
また、前記した移送装置において、前記押さえ板は前記チェーンコンベアの２本のチェーンの駒の間隔とほぼ同じ幅を備え、それぞれが前記チェーンコンベアの２本のチェーンの各駒に固着されている点にも特徴がある。
【発明の効果】
【００１０】
本発明の移送装置は上記したような構成によって、以下のような効果を奏する。（１）大量の切り粉が投入されても切り粉が絡まずに排出できるので、手間がかからず、装置の稼働率が向上する。
【００１１】
（２）掻き板に絡まった切り粉が歯車の上部で脱落し、歯車の軸に絡まることを防止できる。
【００１２】
（３）１つの切り粉移送器によって移送できる切り粉の量が増える。
【図面の簡単な説明】
【００１３】
【図１】図１は本発明の移送装置を含む濾過装置の構成を示す正面図である。
【図２】図２は本発明の移送装置の実施例１のチェーンコンベアの構成を示す平面図および断面図である。
【図３】図３は本発明の移送装置の実施例２のチェーンコンベアの構成を示す平面図および断面図である。
【図４】図４は従来の移送装置を含む濾過装置の構成を示す正面図、平面図である。
【発明を実施するための形態】
【００１４】
以下実施例について図面を参照して説明する。
【実施例１】
【００１５】
図１は本発明の移送装置を含む濾過装置の構成を示す正面図である。この濾過装置は大きく、廃液槽２０と濾過された洗浄液が溜まる濾過液槽１０に分けられる。廃液槽２０は濾過液槽１０の内部に配置されている。廃液槽２０の一端の上部には図示しない旋盤等の工作機械から切り粉（金属片）４０が混ざった使用済みの洗浄液（廃液）が流入する開口部２１が設けられている。
【００１６】
廃液槽２０の中央には、軸が水平になるように設置され、チェーンコンベア３６の２本のチェーンと歯車によって係合して回転する円筒形状のドラムフィルター２２が配置されている。ドラムフィルター２２はドラム外部から内部へ廃液１７を濾過して廃液槽２０の側面の開口部から濾過液槽１０に流出させるようになっている。
【００１７】
ドラムフィルター２２は円筒形状の側面全体に細かい金網製又は布製のフィルターを備え、洗浄液の中で回転し、更にフィルターの内側から洗浄液を噴射することによってフィルターの目詰まりを防止している。切り粉４０は廃液槽２０の底部に残るので、この切り粉４０をチェーンコンベア３５に取り付けられた切り粉移送器３０によって掻き出すことによって切り粉４０と洗浄液１７が分離される。
【００１８】
廃液槽２０の開口部２１と反対側の端部は斜め上方に延長されており、上端部にはチェーンコンベア３５の軸を駆動するモーター２４が装着されている。本発明の移送装置を構成するチェーンコンベアの２本のチェーン３５は廃液槽２０の長手方向の側面に沿って、開口部２１の下部に設けられたチェーン折り返しのための円板２９と上端部のモーター２４によって駆動される歯車２３との間に装着されている。
【００１９】
２本のチェーン３５の間には、所定の間隔で切り粉排出口２５から切り粉収納箱に切り粉４０を掻き出すための切り粉移送器３０が装着されている。切り粉移送器３０の長さは装着間隔よりも短く、隣接する切り粉移送器３０の間には隙間が空いている。チェーン３５は廃液槽２０の底面と一定の距離を保って底面と平行に移動し、切り粉移送器３０の掻き板３１によって底面に溜まった切り粉４０が移送される。
【００２０】
濾過液槽１０は廃液槽２０の側面の開口部から流出した濾過液を溜める容器であり、濾過液槽１０には水位計、濾過液を図示しない工作機械へ送出するための複数のポンプ、ストレーナ（フィルタ）および圧力計を介してフィルター洗浄用の濾過液をドラムフィルター２２へ送出するためのポンプを備えている。キャスター１４は濾過装置全体を移動させるための脚輪である。
【００２１】
図２は本発明の移送装置の実施例１のチェーンコンベアの構成を示す平面図および断面図である。切り粉移送器３０は所定の間隔（実施例ではチェーンの駒１２個分の間隔）でチェーンコンベアの２本のチェーン３５に渡るように装着されている。、切り粉移送器３０は、切り粉を押さえる複数の金属製の押さえ板３２を備え、最後部の押さえ板３２には、移動方向とほぼ直角に、切り粉４０を押して移動させる金属製の掻き板３１が溶接、ネジ止めなどによって固着されている。
【００２２】
複数（実施例では６枚）の押さえ板３２はチェーンコンベアの２本のチェーン３５の駒の間隔とほぼ同じ幅であり、チェーンコンベアの２本のチェーン３５に渡る（貫通している）軸３３に回動可能に嵌合され、隣接する押さえ板と蝶つがい状に連結している。なお、押さえ板３２の枚数は任意である。
【００２３】
このような切り粉移送器３０を所定の間隔でチェーンコンベア３５に装着することによって、掻き板３１によって押圧された切り粉４０が押さえ板３２と廃液槽２０の底部に挟まれた空間内に収まり、掻き板３１によって押圧された切り粉４０がチェーンコンベア３５の上部にまで盛り上がりって掻き板３１に絡まったり、掻き板３１とドラムフィルター２２の間に挟まってフィルター２２が損傷することを防止できる。
【００２４】
また、掻き板３１に絡まった切り粉４０が歯車２３の上部で脱落し、歯車２３の軸に絡まることも防止できる。更に、１つの切り粉移送器３０によって移送できる切り粉の量が増える。
【実施例２】
【００２５】
図３は本発明の移送装置の実施例２のチェーンコンベアの構成を示す平面図および断面図である。実施例１においては、複数の押さえ板３２が蝶つがい状に連結している例を開示したが、この場合には隣接する押さえ板３２との隙間に切り粉が絡まる可能性があり、絡まった切り粉は手で取り除く必要がある。図３に示す実施例２は、隣接する押さえ板との隙間に切り粉４０が絡み難くしたものである。
【００２６】
実施例２の切り粉移送器３０の押さえ板３６はチェーンコンベアの２本のチェーン３５の駒の間隔とほぼ同じ幅を備え、それぞれがチェーンコンベアの２本のチェーンの各駒に溶接、ネジ止めあるいは一体形成されるなどして固着されている。
【００２７】
チェーンコンベアの２本のチェーン３５は切り粉４０を掻く位置においては歯車２３によって牽引されるので、ほぼ直線状になり、隣接する押さえ板３６との隙間は僅かとなり、かつ実施例１のような貫通する軸３３が無いので、切り粉が絡み難い。
【００２８】
また、実施例２においては、押さえ板３６はチェーン３５の複数の軸を含む平面よりも外側に、前記平面と平行に固着されている。従って、チェーン３５が歯車２３および円板２９と嵌合している間はチェーン３５が円弧状になるので、隣接する押さえ板３６との隙間が広がり、隙間に絡んでいた切り粉が外側に脱落し易くなる。
【００２９】
以上実施例を説明したが、本発明の移送装置には以下のような変形例も考えられる。実施例においては濾過機能を備えた濾過装置について開示したが、本発明は濾過機能の有無にかかわらず実施可能である。また本発明は水系の洗浄液に限らず、任意の洗浄液、冷却液、潤滑液を使用する装置に適用可能である。
【００３０】
実施例２においては、押さえ板３６はチェーン３５の複数の軸を含む平面よりも外側に、前記平面と平行に固着されている例を開示したが、押さえ板３６はチェーン３５の複数の軸を含む平面内に、固着されるようにしてもよい。
【００３１】
実施例１あるいは２において、図３（ｂ）、（ｃ）に示すように、各押さえ板３２の後端が後の押さえ板の先端の外側にうろこ状に重なり、後部の板の前端を覆うように、押さえ板の後端を延長すると共に、外側に段差状に曲げる（４５）か、あるいはチェーン３５の複数の軸を含む平面に対して後部ほど離れるように傾斜して固着（４６）してもよい。また先頭の押さえ板の前端を円筒状に丸めてもよい。丸めることにより前端への絡まりが減少する。
また、各押さえ板３２の下面に弾力性のある薄い金属製あるいは樹脂製の板をうろこ状に重ねて貼ってもよい。板は押さえ板３２の後端の隙間を覆うことができる長さ以上の長さとし、後部の板の前端も覆うことが好ましい。板は後端を除く各押さえ板３２に装着してもよいが、長い板を任意枚数ごとに１枚装着してもよい。このようにすれば押さえ板３２の隙間に切り粉が絡まることを減少させることができる。
【産業上の利用可能性】
【００３２】
本発明は、工作機械等から排出される洗浄液と切り粉とを分離し、洗浄液を濾過する濾過装置に適用できる。
【符号の説明】
【００３３】
１０…濾過液槽
１４…キャスター
１７…濾過液
２０…廃液槽
２１…開口部
２２…ドラムフィルター
２３…歯車
２５…切り粉排出口
２８…抑止板
３０…切り粉移送器
３５…チェーン
【図１】
0005782282.tif 000002
【図２】
0005782282.tif 000003
【図３】
0005782282.tif 000004
【図４】
0005782282.tif 000005